(57)【要約】【課題】系統連系される太陽光発電システムとの組み合わせで、ＴＶ受信電波増幅器への給電を、簡素なシステム構成により実現でき、しかも、太陽光で発電した電気を無駄なく効率良く利用できるようにすること。【解決手段】太陽光発電システムを構成している複数の太陽電池モジュール３…のうちの一つの太陽電池モジュール３ａで発電した電気をＴＶ受信電波増幅器４のがわに供給することができるようになされていて、該増幅器給電用太陽電池モジュール３ａで発電した電気が分電盤２のがわに供給されている状態と、同発電電気が増幅器５のがわに供給されている状態とを時を異ならせて形成する切換えが行われるようになされている。【選択図】      図１
2012227668.tif 000002
【特許請求の範囲】
【請求項１】
ＴＶ受信電波増幅器と、
発電した電気を系統連系のため分電盤のがわに供給するようになされた太陽光発電システムと、
該太陽光発電システムを構成している複数の太陽電池モジュールのうちの一つの太陽電池モジュールであって、該モジュールで発電した電気をＴＶ受信電波増幅器のがわに供給することができるようになされたＴＶ受信電波増幅器給電用の太陽電池モジュールと、
該増幅器給電用太陽電池モジュールで発電した電気を系統連系のため分電盤のがわに供給するか、同発電電気を増幅器のがわに供給するかの切換えを行う切換え手段と、
増幅器がわに供給される電気を蓄えると共に、蓄えた電気を増幅器に供給する蓄電池と、
前記増幅器給電用太陽電池モジュールで発電した電気が分電盤のがわに供給されている状態と、同発電電気が増幅器のがわに供給されている状態とを時を異ならせて形成する切換えを切換え手段に行わせる制御をする制御手段と
が備えられていることを特徴とするＴＶ受信電波増幅器への給電システム。
【請求項２】
前記ＴＶ受信電波増幅器と蓄電池とが、前記増幅器給電用太陽電池モジュールに一体化されている請求項１に記載のＴＶ受信電波増幅器への給電システム。
【発明の詳細な説明】
【技術分野】
【０００１】
本発明は、ＴＶ受信電波増幅器への給電システムに関する。
【背景技術】
【０００２】
交流電源である一般コンセントから増幅器に電気を供給することでＴＶ受信電波を増幅することは、従来より行われている。また、増幅器専用の太陽光発電パネルを用意し、該発電パネルで発電した電気が増幅器に供給されるようになされていると共に、夜間や曇り、雨天のときは、交流電源に切り換えられたり、予め交流電源で充電した蓄電池によって電気が増幅器に供給されるようになされた増幅器給電システムも提供されている。
【先行技術文献】
【特許文献】
【０００３】
【特許文献１】特開２０１０−２１９６３３号公報
【特許文献２】特開２０１０−０４１２７１号公報
【発明の概要】
【発明が解決しようとする課題】
【０００４】
しかしながら、上記のような太陽光発電利用の増幅器給電システムでは、増幅器の消費電力がそう大きくはないため、太陽光発電パネルも、増幅器専用に製作された小型のパネルを使用する構成とすることなり、そのため、発電電気を系統連系のため分電盤のがわに供給するようになされた太陽光発電システムを採用することとの組み合わせで、上記のような太陽光発電利用の増幅器給電システムを採用すると、系統連系のための発電システム用の太陽電池モジュールと、増幅器給電専用の小型太陽電池パネルとが混在した複雑なシステム構成となってしまうという問題がある。
【０００５】
本発明は、上記のような問題点に鑑み、系統連系される太陽光発電システムとの組み合わせにおいて、ＴＶ受信電波増幅器への給電を、簡素なシステム構成により実現することができ、しかも、太陽光で発電した電気を無駄なく効率良く利用することができる、ＴＶ受信電波増幅器への給電システムを提供することを課題とする。
【課題を解決するための手段】
【０００６】
上記の課題は、ＴＶ受信電波増幅器と、
発電した電気を系統連系のため分電盤のがわに供給するようになされた太陽光発電システムと、
該太陽光発電システムを構成している複数の太陽電池モジュールのうちの一つの太陽電池モジュールであって、該モジュールで発電した電気をＴＶ受信電波増幅器のがわに供給することができるようになされたＴＶ受信電波増幅器給電用の太陽電池モジュールと、
該増幅器給電用太陽電池モジュールで発電した電気を系統連系のため分電盤のがわに供給するか、同発電電気を増幅器のがわに供給するかの切換えを行う切換え手段と、
増幅器がわに供給される電気を蓄えると共に、蓄えた電気を増幅器に供給する蓄電池と、
前記増幅器給電用太陽電池モジュールで発電した電気が分電盤のがわに供給されている状態と、同発電電気が増幅器のがわに供給されている状態とを時を異ならせて形成する切換えを切換え手段に行わせる制御をする制御手段と
が備えられていることを特徴とするＴＶ受信電波増幅器への給電システムによって解決される（第１発明）。
【０００７】
このシステムでは、発電した電気を系統連系のため分電盤のがわに供給するようになされた太陽光発電システムを構成している複数の太陽電池モジュールのうちの一つの太陽電池モジュールを、ＴＶ受信電波増幅器給電用の太陽電池モジュールとしているので、ＴＶ受信電波増幅器給電専用の太陽電池モジュールないしは太陽電池パネルが不要で、系統連系される太陽光発電システムとの組み合わせにおいて、ＴＶ受信電波増幅器への給電を、簡素なシステム構成により実現することができる。
【０００８】
しかも、ＴＶ受信電波増幅器給電用の太陽電池モジュールで発電された電気は、ＴＶ受信電波増幅器がわへ供給されるのみならず、切換え制御により、系統連系のため分電盤のがわへも供給されるので、太陽光発電システムを構成している太陽電池モジュールの一つをＴＶ受信電波増幅器給電用として用いる構成を採用しても、該ＴＶ受信電波増幅器給電用の太陽電池モジュールで発電した電気を無駄なく効率良く利用することができる。
【０００９】
第１発明において、前記ＴＶ受信電波増幅器と蓄電池とが、前記増幅器給電用太陽電池モジュールに一体化されているとよい（第２発明）。
【００１０】
この場合は、ＴＶ受信電波増幅器と蓄電池とが増幅器給電用太陽電池モジュールに一体化されていることによって、施工を容易にすることができるのはもちろん、系統連系される太陽光発電システムに用いられる太陽電池モジュールをＴＶ受信電波増幅器や蓄電池の一体化の対象としていることにより、ＴＶ受信電波増幅器や蓄電池を太陽電池モジュールにスッキリと組み込むことができる。
【発明の効果】
【００１１】
本発明のＴＶ受信電波増幅器への給電システムは、系統連系される太陽光発電システムとの組み合わせにおいて、ＴＶ受信電波増幅器への給電を、簡素なシステム構成により実現することができ、しかも、太陽光で発電した電気を無駄なく効率良く利用することができる。
【図面の簡単な説明】
【００１２】
【図１】図（イ）及び図（ロ）は実施形態の給電システムを示す説明図である。
【図２】図（イ）及び図（ロ）は制御による各切換え状態を示す説明図である。
【発明を実施するための形態】
【００１３】
次に、本発明の実施形態を図面に基づいて説明する。
【００１４】
図１（ロ）に示す実施形態のシステムにおいて、１は太陽電池アレイ、２は分電盤であり、これらによって、系統連系される太陽光発電システムが構成されている。同太陽光発電システムにおいて、太陽電池アレイ１を構成している複数の太陽電池モジュールにおいて、図１（イ）に示すように、直列に接続された太陽電池モジュール３…のうちの一つ３ａが、ＴＶ受信電波増幅器給電用太陽電池モジュールを構成し、該ＴＶ受信電波増幅器給電用太陽電池モジュール３ａに、ＴＶ受信電波増幅器４と蓄電池５とが一体化されて組み込まれ、ＴＶ受信電波増幅器給電用太陽電池モジュール３ａで発電された電気が蓄電池５に供給されて蓄電池５を充電し、蓄電池５に充電された電気が増幅器４に供給されるようになされている。
【００１５】
なお、太陽電池モジュール３への蓄電池５の一体化をコンパクトに行うことができるよう、蓄電池５として、一の群の蓄電池が充電中に他の一の群の蓄電池が放電をして充電と放電を順に行う群構成の蓄電池を採用するとよい。
【００１６】
そして、ＴＶ受信電波増幅器給電用太陽電池モジュール３ａの前後をつないで、該モジュール３ａをバイパスさせるバイパス路１０が設けられ、前後の第１半導体リレー素子１１，１１による切換えで、ＴＶ受信電波増幅器給電用太陽電池モジュール３ａが太陽光発電システムを構成する太陽電池モジュールとなって、ＴＶ受信電波増幅器給電用太陽電池モジュール３ａで発電された電気が分電盤のがわに供給されたり、該太陽光発電システムから独立した太陽電池モジュールとなったりすることができるようになされている。
【００１７】
また、該ＴＶ受信電波増幅器給電用太陽電池モジュール３ａには、蓄電池５が接続され、該ＴＶ受信電波増幅器給電用太陽電池モジュール３ａと蓄電池５と間に設けられた第２半導体リレー素子１２の切換えで、ＴＶ受信電波増幅器給電用太陽電池モジュール３ａで発電された電気が蓄電池５に供給されて蓄電池５を充電したり、ＴＶ受信電波増幅器給電用太陽電池モジュール３ａが蓄電池５から独立した太陽電池モジュールとなったりすることができるようになされている。
【００１８】
そして、制御手段としての制御部１３が、切換え手段を構成する上記の第１半導体リレー素子１１，１１と第２半導体リレー素子１２とを制御し、
・  図２（イ）に示すように、ＴＶ受信電波増幅器給電用太陽電池モジュール３ａを太陽光発電システムから独立させて、該ＴＶ受信電波増幅器給電用太陽電池モジュールで発電された電気が増幅器４の側、即ち、蓄電池５に供給されている状態と、
・  図２（ロ）に示すように、ＴＶ受信電波増幅器給電用太陽電池モジュール３ａを蓄電池５から独立させて、太陽光発電システムの太陽電池モジュールとして、該太陽電池モジュール３ａで発電された電気が分電盤へ供給されている状態と
が、時を異ならせて形成されるようになされている。
【００１９】
制御内容としては、例えば、３時間おきに図２（イ）に示す状態への切換えが行われるようにし、図２（イ）に示す状態において、電流センサー９が０を記録する、即ち、蓄電池５が満充電になったら図２（ロ）に示す状態に切り替わるというような制御などが行われるようになされていてもよい。切り替わり直後の電流がゼロを記録した場合は夜間を意味し、電流値がゼロでない場合は増幅器等で消費されているので充電されることになる。なお、その他の制御が行われるようになされていてもよい。６は受信アンテナ、７はテレビ、８はダイオードである。
【００２０】
上記の増幅器給電システムでは、発電した電気を系統連系のため分電盤２に供給するようになされた太陽光発電システムを構成している複数の太陽電池モジュール３…のうちの一つの太陽電池モジュール３ａを、ＴＶ受信電波増幅器給電用の太陽電池モジュールとしているので、ＴＶ受信電波増幅器給電専用の太陽電池モジュールないしは太陽電池パネルが不要で、系統連系される太陽光発電システムとの組み合わせにおいて、ＴＶ受信電波増幅器４への給電を、簡素なシステム構成により実現することができる。
【００２１】
しかも、ＴＶ受信電波増幅器給電用の太陽電池モジュール３ａで発電された電気は、増幅器４がわへ供給されるのみならず、系統連系のため分電盤２のがわへも供給されるので、太陽光発電システムを構成している太陽電池モジュール３…の一つ３ａをＴＶ受信電波増幅器給電用として用いる構成を採用しても、該ＴＶ受信電波増幅器給電用の太陽電池モジュール３ａで発電した電気を無駄なく効率良く利用することができる。
【００２２】
また、本実施形態では、増幅器４と蓄電池５とを増幅器給電用太陽電池モジュール３ａに一体化した構成としていることによって、建物への施工を容易にすることができ、また、系統連系される太陽光発電システムに用いられる太陽電池モジュール３ａを増幅器４や蓄電池５の一体化の対象としていることで、増幅器４や蓄電池５を太陽電池モジュール３ａにスッキリと組み込むことができる。
【符号の説明】
【００２３】
２…分電盤
３…太陽電池モジュール
３ａ…増幅器給電用太陽電池モジュール
４…増幅器
５…蓄電池
１０…バイパス路
１１…第１半導体リレー素子（切換え手段）
１２…第２半導体リレー素子（切換え手段）
１３…制御部（制御手段）
【図１】
2012227668.tif 000003
【図２】
2012227668.tif 000004